(57)【要約】【課題】はんだを用いずに上下の配線基板同士を接続することが可能な電子装置を提供すること。【解決手段】第１の配線基板２１の第１の主面２１ｘに立設されたコの字型であって、第１の配線基板２１の側方に向かって延びる第１の接点部３１ａを備えた第１の導電性コンタクト３１と、第１の主面２１ｘに対向する第２の主面３３ｘを備えた第２の配線基板３３と、第２の主面３３ｘに立設され、第２の配線基板３３の側方に向かって延びた第２の接点部３４ａを備えたコの字型であって、第２の接点部３４ａが第１の接点部３１ａに接した複数の第２の導電性コンタクト３４と、第１及び第２の接点部３１ａ、３４ａを挟持して第１の配線基板２１と第２の配線基板３１とを固定するコの字型の第３の導電性コンタクト３７と、第１及び第２の配線基板２１、３３の各々に搭載された電子部品２８とを有する電子装置による。【選択図】図６
2019054126.tif 000002
【特許請求の範囲】
【請求項１】
第１の主面を備えた第１の配線基板と、
前記第１の主面の周縁部に立設され、前記第１の配線基板の側方に向かって開口したコの字型の形状を有すると共に、前記第１の配線基板の側方に向かって延びる第１の接点部を備えた複数の第１の導電性コンタクトと、
前記第１の主面に対向する第２の主面を備えた第２の配線基板と、
前記第２の主面の周縁部に立設され、前記第２の配線基板の側方に向かって延びた第２の接点部を有すると共に、前記第２の配線基板の側方に向かって開口したコの字型の形状を有し、かつ前記第２の接点部が前記第１の接点部に接した複数の第２の導電性コンタクトと、
前記第１の導電性コンタクトと前記第２の導電性コンタクトの各々に向かって開口したコの字型の形状を有すると共に、前記第１の配線基板と前記第２の配線基板の各々の側方から前記第１の接点部と前記第２の接点部を挟持して前記第１の配線基板と前記第２の配線基板とを固定する複数の第３の導電性コンタクトと、
前記第１の配線基板と前記第２の配線基板の各々に搭載された複数の電子部品と、
を有する電子装置。
【請求項２】
複数の前記第１の導電性コンタクトの各々を連結する第１の樹脂部と、
複数の前記第２の導電性コンタクトの各々を連結する第２の樹脂部とを更に有することを特徴とする請求項１に記載の電子装置。
【請求項３】
複数の前記第３の導電性コンタクトの各々を連結する第３の樹脂部を更に有することを特徴とする請求項１又は請求項２に記載の電子装置。
【請求項４】
前記第１の配線基板と前記第２の配線基板の各々は平面視で複数の辺を備え、
複数の前記辺ごとに一つの前記第３の樹脂部が設けられたことを特徴とする請求項３に記載の電子装置。
【請求項５】
前記複数の電子部品の一部は、前記第１の主面と前記第２の主面の少なくとも一方に搭載され、
前記第１の主面と前記第２の主面との間の空間が前記第３の樹脂部により封じられたことを特徴とする請求項３に記載の電子装置。
【請求項６】
前記一部の電子部品は、前記第１の配線基板と前記第２の配線基板の各々の外周側面から後退した部位に設けられ、
前記第３の樹脂部が前記第１の主面と前記第２の主面の各々に密着することにより前記空間が封じられたことを特徴とする請求項５に記載の電子装置。
【請求項７】
前記第３の樹脂部が前記第１の配線基板と前記第２の配線基板の各々の外周側面に密着することにより前記空間が封じられたことを特徴とする請求項５に記載の電子装置。
【請求項８】
前記第３の導電性コンタクトは、前記第１の接点部と前記第２の接点部とを挟持する一対の第３の接点部を備え、
各々の前記第３の接点部に、前記第１の接点部と前記第２の接点部の各々に摺接する突起が設けられたことを特徴とする請求項１に記載の電子装置。
【請求項９】
前記第１の接点部は、断面視で前記第１の配線基板の側方に向かって厚くなるテーパ状であり、
前記第２の接点部は、断面視で前記第２の配線基板の側方に向かって厚くなるテーパ状であり、
前記第３の導電性コンタクトに、前記第１の接点部と前記第２の接点部とを挟持すると共に、断面視で前記第１の接点部と前記第２の接点部に倣ったテーパ状の一対の第３の接点部が設けられたことを特徴とする請求項１に記載の電子装置。
【請求項１０】
前記第１の導電性コンタクト、前記第２の導電性コンタクト、及び前記第３の導電性コンタクトの各々の形と大きさは同一であることを特徴とする請求項１に記載の電子装置。
【発明の詳細な説明】
【技術分野】
【０００１】
本発明は、電子装置に関する。
【背景技術】
【０００２】
複数の配線基板を組み合わせた電子装置には様々なタイプがある。なかでも、POP(Package On Package)と呼ばれる電子装置は複数の基板を上下に積層してなり、各基板を横方向に設ける場合よりも平面サイズを小さくすることができる。
【０００３】
そのPOPにおいては、上下の配線基板の間にはんだボールを設け、そのはんだボールをリフローすることにより各配線基板が電気的かつ機械的に接続される。
【０００４】
しかし、このようにリフローを行うと、各配線基板に実装されているCPU(Central Processing Unit)やメモリ等の電子部品が何度もリフローされることにより熱的なダメージを受けてしまい、これらの電子部品の信頼性が低下するおそれがある。
【先行技術文献】
【特許文献】
【０００５】
【特許文献１】特開２００７−２６９６４号公報
【発明の概要】
【発明が解決しようとする課題】
【０００６】
一側面によれば、本発明は、はんだを用いずに上下の配線基板同士を接続することが可能な電子装置を提供することを目的とする。
【課題を解決するための手段】
【０００７】
一側面によれば、第１の主面を備えた第１の配線基板と、前記第１の主面の周縁部に立設され、前記第１の配線基板の側方に向かって開口したコの字型の形状を有すると共に、前記第１の配線基板の側方に向かって延びる第１の接点部を備えた複数の第１の導電性コンタクトと、前記第１の主面に対向する第２の主面を備えた第２の配線基板と、前記第２の主面の周縁部に立設され、前記第２の配線基板の側方に向かって延びた第２の接点部を有すると共に、前記第２の配線基板の側方に向かって開口したコの字型の形状を有し、かつ前記第２の接点部が前記第１の接点部に接した複数の第２の導電性コンタクトと、前記第１の導電性コンタクトと前記第２の導電性コンタクトの各々に向かって開口したコの字型の形状を有すると共に、前記第１の配線基板と前記第２の配線基板の各々の側方から前記第１の接点部と前記第２の接点部を挟持して前記第１の配線基板と前記第２の配線基板とを固定する複数の第３の導電性コンタクトと、前記第１の配線基板と前記第２の配線基板の各々に搭載された複数の電子部品とを有する電子装置が提供される。
【発明の効果】
【０００８】
一側面によれば、第１の導電性コンタクトと第２の導電性コンタクトに第３の導電性コンタクトを装着するため、第１〜第３の導電性コンタクトによって第１の配線基板と第２の配線基板とが固定される。これにより、第１の配線基板と第２の配線基板とをはんだで接続する必要がなくなり、はんだをリフローする際の熱で電子部品の信頼性が低下するのを防ぐことができる。
【０００９】
更に、第１〜第３の導電性コンタクトの各々をコの字型にしたことでこれらの導電性コンタクトが弾性を有するようになり、第１の配線基板と第２の配線基板とを積層するときの圧力を第１〜第３の導電性コンタクトで分散させることができる。これにより、電子装置の製造時に第１の配線基板や第２の配線基板が破損するのを防止することができる。
【図面の簡単な説明】
【００１０】
【図１】図１（ａ）、（ｂ）は、検討に使用した電子装置の製造途中の断面図である。
【図２】図２は、検討に使用した別の電子装置の断面図である。
【図３】図３（ａ）、（ｂ）は、第１実施形態に係る電子装置の製造途中の断面図（その１）である。
【図４】図４（ａ）、（ｂ）は、第１実施形態に係る電子装置の製造途中の断面図（その２）である。
【図５】図５（ａ）、（ｂ）は、第１実施形態に係る電子装置の製造途中の断面図（その３）である。
【図６】図６は、第１実施形態に係る電子装置の製造途中の断面図（その４）である。
【図７】図７は、第１実施形態に係る第１の配線基板の平面図である。
【図８】図８は、第１実施形態に係る第１の配線基板の角部における拡大斜視図である。
【図９】図９（ａ）は、第１実施形態に係る一つの第１の導電性コンタクトの斜視図であり、図９（ｂ）は、第１実施形態に係る一つの第２の導電性コンタクトの斜視図である。
【図１０】図１０は、第１実施形態に係る第２の配線基板の平面図である。
【図１１】図１１は、第１実施形態に係る電子装置の製造途中の平面図である。
【図１２】図１２は、第１実施形態に係る第３の導電性コンタクトと第３の樹脂部の各々の斜視図である。
【図１３】図１３は、第１実施形態に係る一つの第３の導電性コンタクトの斜視図である。
【図１４】図１４は、第１実施形態に係る電子装置の平面図である。
【図１５】図１５は、第２実施形態に係る第１の配線基板の平面図である。
【図１６】図１６は、第３実施形態に係る電子装置の平面図である。
【図１７】図１７（ａ）は、第３実施形態における孔の使用用途の一例を示す拡大平面図であり、図１７（ｂ）は図１７（ａ）のV−V線に沿う断面図である。
【図１８】図１８（ａ）は、第３実施形態における孔の使用用途の別の例を示す拡大平面図であり、図１８（ｂ）は図１８（ａ）のVI−VI線に沿う断面図である。
【図１９】図１９は、第４実施形態に係る電子装置の断面図である。
【図２０】図２０は、第５実施形態に係る第１の配線基板の角部の拡大斜視図である。
【図２１】図２１は、第５実施形態に係る電子装置の断面図である。
【図２２】図２２は、第６実施形態に係る電子装置の断面図である。
【図２３】図２３は、第６実施形態の別の例に係る電子装置の断面図である。
【図２４】図２４（ａ）は第７実施形態に係る電子装置の平面図であり、図２４（ｂ）は図２４（ａ）のVII−VII線に沿う断面図である。
【図２５】図２５（ａ）は、第８実施形態において第１及び第２の導電性コンタクトに装着する前の第３の導電性コンタクトの断面図であり、図２５（ｂ）は、第１及び第２の導電性コンタクトに装着した後の第３の導電性コンタクトの断面図である。
【図２６】図２６は、第９実施形態に係る第３の導電性コンタクトの斜視図である。
【図２７】図２７は、第９実施形態の別の例に係る第３の導電性コンタクトの斜視図である。
【図２８】図２８は、その他の実施形態に係る第１〜第３の導電性コンタクトとその周囲の拡大断面図である。
【発明を実施するための最良の形態】
【００１１】
本実施形態の説明に先立ち、本願発明者が検討した事項について説明する。
【００１２】
図１（ａ）、（ｂ）は、その検討に使用した電子装置の製造途中の断面図である。
【００１３】
この例では、以下のようにして電子装置としてPOPを作製する。
【００１４】
まず、図１（ａ）に示すように、第１の配線基板１と第２の配線基板２を用意し、これらを対向させる。
【００１５】
配線基板１、２の各々の両面には電子部品３としてCPUやメモリ等の様々なデバイスが搭載される。これらの電子部品３は、本工程の前にはんだ４をリフローすることにより各配線基板１、２に予め固定される。
【００１６】
次いで、図１（ｂ）に示すように、各配線基板１、２の間にはんだボール５を配する。そして、この状態ではんだボール５をリフローして溶融させ、はんだボール５により各配線基板１、２を電気的かつ機械的に接続する。
【００１７】
以上により、この例に係る電子装置１０の基本構造が完成する。
【００１８】
その電子装置１０によれば、複数の配線基板１、２を上下に積層するため、各配線基板１、２を横方向に並べる場合よりも平面サイズを小さくしながら、様々な電子部品３によって高機能化を実現できる。
【００１９】
しかしながら、この方法では図１（ｂ）の工程ではんだボール５をリフローする必要があり、そのリフロー時の熱によって電子部品３の信頼性が低下するおそれがある。
【００２０】
このような信頼性の低下はリフローの回数が増えるほど顕著になる。よって、電子部品３の製造業者はリフローの回数に対して上限回数を定め、電子部品３の信頼性を保証するためにリフローの回数をその上限回数以下にするように推奨することがある。電子部品３の種類にもよるが、リフローの回数の上限回数は２回であるものが多い。
【００２１】
この例では、第１の配線基板１の片面ごとにはんだ４をリフローして第１の配線基板１に電子部品３を搭載するため、はんだボール５をリフローする前に既にリフローを２回行った電子部品３が第１の配線基板１に存在する。第２の配線基板２の電子部品３についても同様である。
【００２２】
そのため、上記のようにはんだボール５をリフローしたのでは、電子部品３の中にリフローを３回行ったものが存在するようになり、前述した上限回数を超えてしまう可能性がある。
【００２３】
なお、第１の配線基板１と第２の配線基板２との間に電子部品３を収容できるだけの間隔を確保するために、はんだボール５に代えて表面にはんだがめっきされた樹脂コアボールや銅コアボールを使用することもある。この場合でもコアボールの表面のはんだを溶融させるためのリフローが必要となるため、上記と同様にリフローによって電子部品３の信頼性が低下してしまう。
【００２４】
しかも、各配線基板１、２同士を分離するためにはんだボール５をリフローすると、そのリフローの熱によって更に電子部品３の信頼性が低下するため、電子装置１０の完成後に各配線基板１、２同士を分離するのが困難となる。その結果、電子装置１０の完成後に配線基板１、２を交換することは難しい。また、完成後に各配線基板１、２の対向面に実装されている電子部品３の外観を検査したりするのが難しい。
【００２５】
図２は、検討に使用した別の電子装置の断面図である。
【００２６】
なお、図２において、図１（ａ）、（ｂ）で説明したのと同じ要素にはこれらの図におけるのと同じ符号を付し、以下ではその説明を省略する。
【００２７】
この電子装置１５においては、前述の第１の配線基板１と第２の配線基板２との間に中間基板１１を設ける。
【００２８】
そして、その中間基板１１と第１の配線基板１とをはんだボール５で接続した後、中間基板１１と第２の配線基板２とをはんだボール５で接続する。
【００２９】
その中間基板１１として中央部が中空となっている基板を使用することにより、各配線基板１、２の間に厚い電子部品３を収めることができ、電子装置１５に搭載できる電子部品３の厚さの制限を緩和できる。
【００３０】
しかしながら、この電子装置１５においては、中間基板１１の両面のはんだボール５を別々にリフローするため、図１の例よりも更に電子部品３が受けるリフローの回数が増えてしまい、電子部品３の信頼性が一層低下してしまう。
【００３１】
以下に、はんだボールをリフローすることなしに電子装置を製造できる各実施形態について説明する。
【００３２】
（第１実施形態）
本実施形態に係る電子装置についてその製造工程を追いながら説明する。
【００３３】
図３〜図６は、本実施形態に係る電子装置の製造途中の断面図である。
【００３４】
本実施形態では、以下のようにして電子装置としてPOPを製造する。
【００３５】
まず、図３（ａ）に示すように、コア基材２２の両面に複数の絶縁層２３と配線層２５、２６とを備えた第１の配線基板２１を用意する。
【００３６】
このうち、コア基材２２は、ガラスクロスにエポキシ樹脂を含浸させたガラスエポキシ基板であって、複数の貫通孔２２ａを備える。貫通孔２２ａとその開口端には銅めっき膜が形成され、これにより貫通孔２２ａ内に貫通電極２４が設けられると共に、貫通電極２４の周囲のコア基材２２上に配線２５が設けられる。
【００３７】
また、絶縁層２３は、例えばフェノール樹脂やポリイミド樹脂等の樹脂層である。その樹脂層２３には、レーザ加工等により配線２５に至るビア２３ａが形成されており、ビア２３ａとその周囲の絶縁層２３の上には配線２６が銅めっきにより形成される。
【００３８】
そして、最上層の絶縁層２３の上には、配線２６が露出する開口２７ａを備えたソルダレジスト層２７が形成される。
【００３９】
続いて、図３（ｂ）に示すように、第１の配線基板２１の両主面のうちの一方にはんだ２９を介して複数の電子部品２８を載せる。そして、そのはんだ２９をリフローすることにより、はんだ２９を介して各電子部品２８を配線２６に接続する。
【００４０】
本工程で使用する電子部品２８としては、例えば、CPU等のプロセッサ、メモリ、コイル、抵抗素子、コンデンサ、水晶振動子、及び電池等がある。
【００４１】
次に、図４（ａ）に示す工程について説明する。
【００４２】
まず、第１の配線基板２１の他方の主面に、はんだ２９を介して複数の電子部品２８と第１の導電性コンタクト３１とを載せる。
【００４３】
第１の導電性コンタクト３１は、断面視で第１の配線基板２１の側方に向かって開口したコの字型であって、純銅、黄銅、及びリン青銅等の金属板をプレス加工して作製される。
【００４４】
また、第１の導電性コンタクト３１の先端には、第１の配線基板２１の側方に向かって延びた第１の接点部３１ａが設けられる。
【００４５】
そして、はんだ２９をリフローすることにより、はんだ２９を介して各電子部品２８と第１の導電性コンタクト３１とを配線２６に同時に接続する。
【００４６】
図７は、本工程を終了した時点での第１の配線基板２１の平面図であって、前述の図４（ａ）は図７のI−I線に沿う断面図に相当する。
【００４７】
図７に示すように、第１の配線基板２１は、平面視で四つの辺２１ａ〜２１ｄを備えた矩形状であり、各辺２１ａ〜２１ｄにより画定された第１の主面２１ｘを有する。
【００４８】
この例では、その第１の主面２１ｘの周縁部２１ｙに前述の第１の導電性コンタクト３１を固定すると共に、各辺２１ａ〜２１ｄに沿って第１の導電性コンタクト３１を間隔をおいて複数設ける。
【００４９】
また、複数の第１の導電性コンタクト３１の各々は第１の樹脂部３２により本工程の前に予め連結される。これにより、複数の第１の導電性コンタクト３１の各々を一括して第１の配線基板２１に搭載することができ、複数の第１の導電性コンタクト３１を個別に第１の配線基板２１に搭載する場合よりも工程の簡略化を実現できる。
【００５０】
第１の樹脂部３２の形状は特に限定されないが、例えば各辺２１ａ〜２１ｄに沿って延びるように第１の樹脂部３２を成型する。これにより、第１の樹脂部３２と各辺２１ａ〜２１ｄとを平行にすることにより第１の樹脂部３２と第１の配線基板２１との位置合わせを行うことができ、位置合わせに要する手間を省くことができる。
【００５１】
なお、第１の樹脂部３２の材料としては、例えばPBT(ポリブチレンテレフタレート)、エポキシ樹脂、及びLCP(Liquid Crystal Polymer)等がある。
【００５２】
図８は、第１の配線基板２１の角部における拡大斜視図である。
【００５３】
図８に示すように、第１の導電性コンタクト３１の各々は、第１の樹脂部３２に埋設された状態で第１の主面２１ｘに立設される。このような構造は、例えば、プレス加工等によってコの字型の第１の導電性コンタクト３１を作製した後、射出成型により第１の導電性コンタクト３１を第１の樹脂部３２に埋設することで得られる。
【００５４】
また、各々の第１の導電性コンタクト３１の寸法も特に限定されない。例えば、その幅Wは０．３mm〜１mm程度であり、高さHは０．８mm〜４mm程度である。また、奥行きDは０．４mm〜２mm程度であり、第１の接点部３１ａの厚みTは０．２mm〜１mm程度である。
【００５５】
以上により第１の配線基板２１に対する処理を終える。
【００５６】
次に、図４（ｂ）に示すように、上記の第１の配線基板２１とは別に第２の配線基板３３を用意する。
【００５７】
なお、第２の配線基板３３の断面構造は、第１の配線基板２１のそれと同様なのでその説明は省略する。
【００５８】
そして、その第２の配線基板３３に対して前述の図３（ｂ）〜図４（ａ）と同じ工程を行うことにより、第２の配線基板３３の第２の主面３３ｘに複数の第２の導電性コンタクト３４を立設する。
【００５９】
第２の導電性コンタクト３４の形状と材料も特に限定されない。この例では、第１の導電性コンタクト３１を第２の導電性コンタクト３４に流用することにより、第２の導電性コンタクト３４の製造コストを低廉化する。
【００６０】
その第２の導電性コンタクト３４は、断面視で第２の配線基板３２の側方に向かって開口したコの字型であって、その先端には第２の配線基板３２の側方に向かって延びた第２の接点部３４ａが設けられる。
【００６１】
図９（ａ）は一つの第１の導電性コンタクト３１の斜視図であり、図９（ｂ）は一つの第２の導電性コンタクト３４の斜視図である。
【００６２】
図９（ａ）に示すように、第１の導電性コンタクト３１は３つの平板状の部位から形成されており、第１の配線基板２１の側方に向かって延びる第１及び第２の水平部３１ｃ、３１ｄと、第１の主面２１ｘに垂直に立設される垂直部３１ｅとを有する。
【００６３】
このうち、第１の水平部３１ｃは第１の配線基板２１に接続されており、第２の水平部３１ｄが前述の第１の接点部３１ａとなる。
【００６４】
同様に、図９（ｂ）に示すように、第２の導電性コンタクト３４も３つの平板状の部位から形成されており、第２の配線基板３３の側方に向かって延びる第１及び第２の水平部３４ｃ、３４ｄと、第２の主面３３ｘに垂直に立設される垂直部３４ｅとを有する。
【００６５】
このうち、第１の水平部３４ｃは第２の配線基板３３に接続されており、第２の水平部３４ｄが前述の第２の接点部３４ａとなる。
【００６６】
図１０は、第２の配線基板３３の平面図であって、前述の図４（ｂ）は図１０のII−II線に沿う断面図に相当する。
【００６７】
図１０に示すように、第１の配線基板２１と同様に第２の配線基板３３も平面視で四つの辺３３ａ〜３３ｄを備えた矩形状である。
【００６８】
そして、第２の主面３３ｘの周縁部３３ｙにおいて、各辺３３ａ〜３３ｄに沿って第２の導電性コンタクト３４が間隔をおいて複数設けられる。
【００６９】
これらの第２の導電性コンタクト３４の各々は第２の樹脂部３５により予め連結されており、これにより複数の第２の導電性コンタクト３４の各々を一括して第２の配線基板３３に搭載することができる。
【００７０】
第２の樹脂部３５の形状と材料は第１の樹脂部３２（図７参照）と同一であり、各辺３３ａ〜３３ｄに沿って延びるように第２の樹脂部３５は成型される。
【００７１】
続いて、図５（ａ）に示すように、第１の配線基板２１と第２の配線基板３３との位置合わせを行い、これらの主面２１ｘ、３３ｘ同士を対向させる。
【００７２】
次に、図５（ｂ）に示すように、第１の導電性コンタクト３１と第２の導電性コンタクト３４の各々の接点部３１ａ、３４ａ同士を接触させ、更にこれらの接点部３１ａ、３４ａの側方に第３の導電性コンタクト３７を配する。
【００７３】
第３の導電性コンタクト３７は、断面視で各導電性コンタクト３１、３４に向かって開口したコの字型であり、互いに対向する一対の第３の接点部３７ａを備える。
【００７４】
本実施形態では、第３の導電性コンタクト３７の製造コストを抑えるために、第１の導電性コンタクト３１を第３の導電性コンタクト３７に流用する。
【００７５】
図１１は、本工程について示す平面図であり、前述の図５（ｂ）は図１１のIII−III線に沿う断面図に相当する。
【００７６】
図１１に示すように、第３の導電性コンタクト３７は、第１の導電性コンタクト３１と第２の導電性コンタクト３４の各々に対応して複数設けられる。
【００７７】
これらの第３の導電性コンタクト３７の各々は、辺２１ａ〜２１ｄごとに一つの第３の樹脂部３８によって連結されており、これにより複数の第３の導電性コンタクト３７を扱うのが容易となる。
【００７８】
図１２は、第３の導電性コンタクト３７と第３の樹脂部３８の各々の斜視図である。
【００７９】
第３の樹脂部３８の形状や材料は特に限定されないが、第１の樹脂部３２や第２の樹脂部３５を第３の樹脂部３８に流用することにより第３の樹脂部３８の製造コストを抑えるのが好ましい。
【００８０】
図１３は、一つの第３の導電性コンタクト３７の斜視図である。
【００８１】
第１の導電性コンタクト３１や第２の導電性コンタクト３４と同様に、第３の導電性コンタクト３７も３つの平板状の部位から形成されており、第１及び第２の水平部３７ｃ、３７ｄと、これらに対して垂直に設けられた垂直部３７ｅとを有する。
【００８２】
このうち、第１及び第２の水平部３７ｃ、３７ｄが、前述の第３の接点部３７ａとなる。
【００８３】
続いて、図６に示すように、各配線基板２１、３３の側方から各導電性コンタクト３１、３４に第３の導電性コンタクト３７を装着する。これにより、第３の導電性コンタクト３７の第３の接点部３７ａによって第１の接点部３１ａと第２の接点部３４ａとが挟持され、各配線基板２１、３３が電気的かつ機械的に接続される。
【００８４】
この例では、はんだ等によって各配線基板２１、３３に第３の導電性コンタクト３７を固定せずに、第３の導電性コンタクト３７を各導電性コンタクト３１、３４に着脱自在とする。
【００８５】
なお、各導電性コンタクト３１、３４から第３の導電性コンタクト３７が脱落するのを防ぐために、これらの導電性コンタクト３１、３４、３７の各々の表面に粗化処理により凹凸を付与してもよい。そのような祖化処理としては、例えばウエットエッチングがある。また、各導電性コンタクト３１、３４、３７を成型するときの金型に凹凸を設けておき、成型時にその凹凸をこれらの導電性コンタクト３１、３４、３７の表面に転写してもよい。
【００８６】
更に、各導電性コンタクト３１、３４、３７の材料としてバネ性に富んだ黄銅やリン青銅を採用し、バネ性によって各導電性コンタクト３１、３４、３７同士を強固に嵌合させてもよい。
【００８７】
なお、このように材料のバネ性を利用せずに、展性に優れた錫膜を各導電性コンタクト３１、３４、３７の表面にめっき法で形成してもよい。これにより、各導電性コンタクト３１、３４、３７が柔らかな錫膜を介して相互に良好に密着し、各導電性コンタクト３１、３４、３７同士を確実に嵌合させることができる。その場合、錫膜の下地に銅膜やニッケル膜等をめっき法で形成してもよい。
【００８８】
更に、各導電性コンタクト３１、３４、３７の表面が酸化するのを防止するために、これらの表面にめっき法でニッケル膜と金膜とをこの順に形成してもよい。
【００８９】
以上により、本実施形態に係る電子装置４０の基本構造が完成する。
【００９０】
その電子装置４０は、前述のようにPOPであって、複数の電子部品２８によって高機能化が図られる。
【００９１】
なお、この例では第１の配線基板２１の両主面に電子部品２８を実装しているが、一方の主面にのみ電子部品２８を実装してもよい。これについては第２の配線基板３３においても同様である。
【００９２】
更に、配線基板の積層数も特に限定されず、３枚以上の配線基板を積層してもよい。
【００９３】
図１４は、この電子装置４０の平面図であって、前述の図６は図１４のIV−IV線に沿う断面図に相当する。
【００９４】
図１４に示すように、この電子装置４０においては、第１の配線基板２１の四辺から第３の導電性コンタクト３７が挿入される。
【００９５】
上記した本実施形態によれば、図６に示したように、第１〜第３の導電性コンタクト３１、３４、３７によって各配線基板２１、３３を接続するため、これらの配線基板２１、３３を接続するためのはんだが不要となる。その結果、そのはんだをリフローする必要がなくなり、リフロー時の熱によって各電子部品２８の信頼性が低下するおそれがない。
【００９６】
しかも、第３の導電性コンタクト３７は各導電性コンタクト３１、３４に着脱自在であるため、電子装置４０の完成後であっても各導電性コンタクト３１、３４から第３の導電性コンタクト３７を外すことで各配線基板２１、３３を簡単に分離できる。
【００９７】
よって、各配線基板２１、３３のいずれかに不良が見つかった場合には、各配線基板２１、３３を分離して不良品の配線基板を良品に交換することができる。更に、電子装置４０の完成後に各配線基板２１、３３を分離し、各主面２１ｘ、３３ｘに実装された電子部品２８の位置ずれ等を検査するための外観検査を行うのも容易となる。
【００９８】
また、第１及び第２の導電性コンタクト３１、３４の各接点部３１ａ、３４ａを各配線基板２１、３１の側方に延ばしたことで、各配線基板２１、３１の側方から第３の導電性コンタクト３７の脱着を行うことができる。これにより、各配線基板２１、３１同士を近接させた状態で第３の導電性コンタクト３７の脱着を行うことができるため、電子装置４０の低背化を実現することが可能となる。
【００９９】
特に、本実施形態では第１〜第３の導電性コンタクト３１、３４、３７の各々を断面視でコの字型にしたため、各々の水平部３１ｃ、３１ｄ、３４ｃ、３４ｄ、３７ｃ、３７ｄが弾性を有した構造となる。これにより、図６の工程で各配線基板２１、３３を積層しても、その際に生じる応力を第１〜第３の導電性コンタクト３１、３４、３７で分散させることができる。
【０１００】
しかも、図９（ａ）に示したように、第１の導電性コンタクト３１の第１の水平部３１ｃを第１の配線基板２１に接続したため、第１の導電性コンタクト３１と第１の配線基板２１とが面接触するようになる。そのため、図６の工程で各配線基板２１、３３を積層するときに生じる応力が第１の水平部３１ｃで分散されるようになり、その応力によって第１の配線基板２１が破損するのを防止できる。
【０１０１】
同様に、図９（ｂ）に示したように、第２の導電性コンタクト３４の第１の水平部４３ｃが第２の配線基板３３に面接触するため、上記の応力で第２の配線基板３３が破損するのも防止できる。
【０１０２】
そして、第１〜第３の導電性コンタクト３１、３４、３７の各々の材料と形状とを全て同一にすることにより、これらの導電性コンタクト３１、３４、３７を別々に作製する必要がなくなり、電子装置４０の低コスト化を実現することができる。
【０１０３】
（第２実施形態）
第１実施形態では、図７に示したように、第１の配線基板２１の一つの辺に設ける第１の樹脂部３２を一個とした。第１の樹脂部３２の個数はこれに限定されない。
【０１０４】
図１５は、本実施形態に係る第１の配線基板２１の平面図である。
【０１０５】
なお、図１５において、第１実施形態で説明したのと同じ要素には第１実施形態におけるのと同じ符号を付し、以下ではその説明を省略する。
【０１０６】
図１５に示すように、この例では第１の配線基板２１の辺２１ａ〜２１ｄの各々にそれぞれ二つずつ第１の樹脂部３２を設ける。
【０１０７】
このように各辺２１ａ〜２１ｄにおける第１の樹脂部３２を複数個にしても、各々の第１の樹脂部３２で複数の第１の導電性コンタクト３１を一括して扱うことができ、第１の配線基板２１に第１の導電性コンタクト３１を搭載するのが容易となる。
【０１０８】
（第３実施形態）
図１６は、本実施形態に係る電子装置の平面図である。
【０１０９】
なお、図１６において第１実施形態で説明したのと同じ要素には第１実施形態におけるのと同じ符号を付し、以下ではその説明を省略する。
【０１１０】
図１６に示すように、本実施形態においては、第３の樹脂部３８の各々の端部に孔３８ａを設ける。
【０１１１】
孔３８ａの使用用途は特に限定されない。
【０１１２】
図１７（ａ）は、孔３８ａの使用用途の一例を示す拡大平面図であり、図１７（ｂ）は図１７（ａ）のV−V線に沿う断面図である。
【０１１３】
図１７（ａ）、（ｂ）に示すように、この例では二つのピン４７ａを備えた金属製の連結部４７を用意する。そして、第１の配線基板２１の隣接する二辺２１ｂ、２１ｃに対応した第３の樹脂部３８の各々の孔３８ａにピン４７ａを嵌める。
【０１１４】
これにより、連結部４７によって隣接する第３の樹脂部３８の各々が連結され、電子装置４０の完成後に衝撃等によって第３の導電性コンタクト３７（図１６参照）が電子装置４０から脱落し難くなる。
【０１１５】
なお、連結部４７は孔３８ａに着脱自在であり、第３の導電性コンタクト３７が電子装置４０から脱落するおそれがない場合には孔３８ａから連結部４７を外してもよい。
【０１１６】
一方、図１８（ａ）は、孔３８ａの使用用途の別の例を示す拡大平面図であり、図１８（ｂ）は図１８（ａ）のVI−VI線に沿う断面図である。
【０１１７】
図１８（ａ）、（ｂ）の例では、孔３８ａにネジ４８を挿通し、そのネジ４８により電子装置４０を筐体４９に固定する。
【０１１８】
これにより、第１の配線基板２１（図１６参照）や第２の配線基板３３にネジ４８用の孔を開口せずに筐体４９に電子装置４０を固定することが可能となる。
【０１１９】
（第４実施形態）
図１９は、本実施形態に係る電子装置の断面図である。
【０１２０】
なお、図１９において第１実施形態で説明したのと同じ要素には第１実施形態におけるのと同じ符号を付し、以下ではその説明を省略する。
【０１２１】
図１９に示すように、本実施形態に係る電子装置４０においては、複数の第３の導電性コンタクト３７同士を連結するための第３の樹脂部３８（図１２参照）を省く。第３の導電性コンタクト３７の各々を個別に扱うのが問題にならない場合には、このように第３の樹脂部３８を省いてもよい。これにより、射出成型により第３の樹脂部３８に第３の導電性コンタクト３７を埋設する必要がなくなり、射出成型に要するコストを削減することができる。
【０１２２】
（第５実施形態）
第１〜第４実施形態では、図８に示したように、第１の樹脂部３２により複数の第１の導電性コンタクト３１を連結した。
【０１２３】
これに対し、本実施形態では以下のように第１の樹脂部３２を省く。
【０１２４】
図２０は、本実施形態における第１の配線基板２１の角部の拡大斜視図である。
【０１２５】
図２０に示すように、本実施形態では複数の第１の導電性コンタクト３１を連結するための第１の樹脂部３２を省く。これにより、射出成型により第１の樹脂部３２に第１の導電性コンタクト３１を埋設する必要がなくなり、射出成型に要するコストを削減することができる。
【０１２６】
図２１は、本実施形態に係る電子装置４０の断面図である。
【０１２７】
なお、図２１において第１実施形態で説明したのと同じ要素には第１実施形態で説明したのと同じ符号を付し、以下ではその説明を省略する。
【０１２８】
図２１に示すように、この例では複数の第２の導電性コンタクト３４を連結するための第２の樹脂部３５（図６参照）も省く。これにより、第１の樹脂部３２だけでなく、第２の樹脂部３５を射出成型により作製するためのコストも削減することができる。
【０１２９】
（第６実施形態）
本実施形態では、以下のようにして各配線基板２１、３３の間の電子部品２８を封止する。
【０１３０】
図２２は、本実施形態に係る電子装置の断面図である。
【０１３１】
なお、図２２において第１〜第５実施形態で説明したのと同じ要素にはこれらの実施形態におけるのと同じ符号を付し、以下ではその説明を省略する。これについては後述の図２３でも同様である。
【０１３２】
図２２に示すように、この電子装置４０においては、各配線基板２１、３３の各々の主面２１ｘ、３３ｘに第３の樹脂部３８が密着することにより、これらの主面２１ｘ、３３ｘの間の空間Sを第３の樹脂部３８で封じる。
【０１３３】
これにより、大気中の埃等の異物が空間Sに侵入するのを第３の樹脂部３８で防ぐことができ、空間S内の電子部品２８に異物が付着するのを抑制することができる。更に、このように異物の付着が抑制されるため、異物からベアチップを保護するための樹脂封止がない電子部品２８を空間S内に実装することができ、様々な電子部品２８を電子装置４０に実装することができる。
【０１３４】
この場合、空間S内に収容する電子部品２８を、各配線基板２１、３３各々の外周側面２１ｓ、３３ｓから後退した部位に設けるのが好ましい。これにより、第３の樹脂部３８が各主面２１ｘ、３３ｘに密着する部位が確保され、空間Sに異物が入るのを第３の樹脂部３８で防止し易くなる。
【０１３５】
空間Sの封止の仕方はこれに限定されない。
【０１３６】
図２３は、本実施形態の別の例に係る電子装置４０の断面図である。
【０１３７】
図２３に示すように、この例では、各配線基板２１、３３の外周側面２１ｓ、３３ｓに第３の樹脂部３８が密着することにより空間Sが封じられ、これにより空間Sに異物が侵入するのが防止される。
【０１３８】
このような構造によれば、第３の樹脂部３８を密着させるための部位を各主面２１ｘ、３３ｘに確保する必要がなくなるため、空間Sに多くの電子部品２８を収容することができる。
【０１３９】
（第７実施形態）
本実施形態では、以下のようにして電子装置の小型化を図る。
【０１４０】
図２４（ａ）は本実施形態に係る電子装置の平面図であり、図２４（ｂ）は図２４（ａ）のVII−VII線に沿う断面図である。
【０１４１】
図２４（ａ）に示すように、この電子装置４０においては、平面視で各配線基板２１、３３から第３の樹脂部３８がはみ出ておらず、各配線基板２１、３３に第３の樹脂部３８が収まる。これにより、各配線基板２１、３３から第３の樹脂部３８がはみ出る場合と比較して電子装置４０を小型化できる。
【０１４２】
この場合、図２４（ｂ）に示すように、各主面２１ｘ、３３ｘに搭載する電子部品２８の各々を各配線基板２１、３３の外周側面２１ｓ、３３から後退した部位に設け、第３の樹脂部３８を収めるスペースを各主面２１ｘ、３３ｘの間に確保するのが好ましい。
【０１４３】
（第８実施形態）
本実施形態では、各導電性コンタクト３１、３４、３７の好適な形状について説明する。
【０１４４】
図２５（ａ）は、第１及び第２の導電性コンタクト３１、３４に装着する前の第３の導電性コンタクト３７の断面図である。
【０１４５】
図２５（ａ）に示すように、本実施形態では、第１の導電性コンタクト３１の第１の接点部３１ａを断面視で第１の配線基板２１の側方に向かって厚くなるテーパ状とする。同様に、第２の導電性コンタクト３４の第２の接点部３４ａは、断面視で第２の配線基板３３の側方に向かって厚くなるテーパ状である。
【０１４６】
そして、第３の導電性コンタクト３７の第３の接点部３７ａは、断面視で第１の接点部３１ａと第２の接点部３４ａに倣ったテーパ状である。
【０１４７】
図２５（ｂ）は、第１及び第２の導電性コンタクト３１、３４に装着した後の第３の導電性コンタクト３７の断面図である。
【０１４８】
図２５（ｂ）に示すように、上記のように各導電性コンタクト３１、３４、３７をテーパ状としたことで、第１及び第２の導電性コンタクト３１、３４から第３の導電性コンタクト３４が脱落し難くなる。
【０１４９】
しかも、第１及び第２の導電性コンタクト３１、３４に第３の導電性コンタクト３７を装着する際、第１及び第２の接点部３１ａ、３４ａに第３の接点部３７ａが擦れるため、各導電性コンタクト３１、３４、３７の表面の自然酸化膜が削られる。
【０１５０】
その結果、各導電性コンタクト３１、３４、３７の表面に金属の清浄面が露出するようになり、その清浄面を通る電気抵抗の少ない経路Cに沿って電流を流すことができ、自然酸化膜の有無に関わらず各配線基板２１、３３を電気的に良好に接続することができる。
【０１５１】
なお、これらの効果が奏されるための各導電性コンタクト３１、３４、３７の形状は本実施形態に限定されず、前述の第１〜第７実施形態で説明した導電性コンタクト３１、３４、３７でも同様の効果が奏される。
【０１５２】
（第９実施形態）
本実施形態では、第３の導電性コンタクト３７の好適な形状について説明する。
【０１５３】
図２６は、本実施形態に係る第３の導電性コンタクト３７の斜視図である。なお、図２６において、第１〜第８実施形態で説明したのと同じ要素にはこれらの実施形態におけるのと同じ符号を付し、以下ではその説明を省略する。
【０１５４】
図２６に示すように、本実施形態においては、第３の導電性コンタクト３７の第３の接点部３７ａの各々に互いに対向した突起３７ｐを設ける。その突起３７ｐは、第１の導電性コンタクト３１と第２の導電性コンタクト３４の各々の接点部３１ａ、３４ａを向いており、これらの接点部３１ａ、３４ａの各々に摺接する。
【０１５５】
これにより、第１及び第２の導電性コンタクト３１、３４に第３の導電性コンタクト３７を装着する際に各導電性コンタクト３１、３４の表面の自然酸化膜が突起３７ｐにより削り落とされ、これらの導電性コンタクト３１、３４に金属の清浄面が露出する。
【０１５６】
その結果、第８実施形態と同様に清浄面を通る電気抵抗の少ない経路C（図２５（ｂ）参照）に沿って電流が流れ、各配線基板２１、３３の間の電気抵抗を低減することが可能となる。
【０１５７】
特に、この例では突起３７ｐの先端を尖鋭にしたため、各導電性コンタクト３１、３４の表面の自然酸化膜を突起３７ｐにより簡単に除去することができる。
【０１５８】
突起３７ｐの形状は上記に限定されない。
【０１５９】
図２７は、本実施形態の別の例に係る第３の導電性コンタクト３７の斜視図である。
【０１６０】
この例では、各接点部３１ａ、３４ａに向かって湾曲するように突起３７ｐを設ける。このような形状であっても、図２６の例と同様に突起３７ｐで自然酸化膜を除去することができる。
【０１６１】
（その他の実施形態）
第１〜第９実施形態では、第１の導電性コンタクト３１と第２の導電性コンタクト３４の各々を断面視でコの字型にしたが、各導電性コンタクト３１、３４の断面形状はこれに限定されない。
【０１６２】
例えば、図２８の拡大断面図に示すように、これらの導電性コンタクト３１、３４の各々の第１の水平部３１ｃ、３４ｃ（図９（ａ）、（ｂ）参照）を省き、垂直部３１ｅ、３４ｅを各配線基板２１、３３に立設してもよい。
【符号の説明】
【０１６３】
１…第１の配線基板、２…第２の配線基板、３…電子部品、４…はんだ、５…はんだボール、１０、１５…電子装置、１１…中間基板、２１…第１の配線基板、２１ａ〜２１ｄ…辺、２１ｘ…第１の主面、２１ｙ…周縁部、２２…コア基材、２２ａ…貫通孔、２３…絶縁層、２３ａ…ビア、２４…貫通電極、２５、２６…配線、２７…ソルダレジスト層、２７ａ…開口、２８…電子部品、２９…はんだ、３１…第１の導電性コンタクト、３１ａ…第１の接点部、３１ｃ…第１の水平部、３１ｄ…第２の水平部、３１ｅ…垂直部、３２…第１の樹脂部、３３…第２の配線基板、３３ａ〜３３ｄ…辺、３３ｘ…第２の主面、３３ｙ…周縁部、３４…第２の導電性コンタクト、３４ａ…第２の接点部、３４ｃ…第１の水平部、３４ｄ…第２の水平部、３４ｅ…垂直部、３５…第２の樹脂部、３７…第３の導電性コンタクト、３７ａ…第３の接点部、３７ｃ…第１の水平部、３７ｄ…第２の水平部、３７ｅ…垂直部、３７ｐ…突起、３８…第３の樹脂部、３８ａ…孔、４０…電子装置、４７…連結部、４７ａ…ピン、４８…ネジ、４９…筐体。
【図１】
2019054126.tif 000003
【図２】
2019054126.tif 000004
【図３】
2019054126.tif 000005
【図４】
2019054126.tif 000006
【図５】
2019054126.tif 000007
【図６】
2019054126.tif 000008
【図７】
2019054126.tif 000009
【図８】
2019054126.tif 000010
【図９】
2019054126.tif 000011
【図１０】
2019054126.tif 000012
【図１１】
2019054126.tif 000013
【図１２】
2019054126.tif 000014
【図１３】
2019054126.tif 000015
【図１４】
2019054126.tif 000016
【図１５】
2019054126.tif 000017
【図１６】
2019054126.tif 000018
【図１７】
2019054126.tif 000019
【図１８】
2019054126.tif 000020
【図１９】
2019054126.tif 000021
【図２０】
2019054126.tif 000022
【図２１】
2019054126.tif 000023
【図２２】
2019054126.tif 000024
【図２３】
2019054126.tif 000025
【図２４】
2019054126.tif 000026
【図２５】
2019054126.tif 000027
【図２６】
2019054126.tif 000028
【図２７】
2019054126.tif 000029
【図２８】
2019054126.tif 000030